(57)【要約】【課題】プロジェクタなどに代表される電子機器において、クロストークに起因するノイズの発生を軽減する。【解決手段】プロジェクタ１は、音声信号が入力される複数の入力ジャック２１ａ〜２１ｃのうち何れか１つを選択するソース切り替えスイッチ４１と、入力ジャック２１ａ〜２１ｃについて外部接続されているか否かを検出するプラグ検出ブロック３と、プラグ検出ブロック３が選択した入力ジャック２１が外部接続されていない場合、入力ジャック２１が外部接続されている場合よりも、音声出力値を下げるように制御するオーディオ制御ブロック４とを備える。【選択図】図１
2019220897.tif 000002
【特許請求の範囲】
【請求項１】
音声信号が入力される複数の入力端子のうち何れか１つを選択する選択手段による選択結果を取得する選択結果取得手段と、
前記複数の入力端子の夫々について外部接続されているか否かを検出する検出手段による検出結果を取得する検出結果取得手段と、
前記検出結果取得手段により取得された前記検出結果に基づき、前記選択手段が選択した入力端子が外部接続されていない場合、前記入力端子が外部接続されている場合よりも、音声出力値を下げるように制御する音声制御手段と、
を備えることを特徴とする電子機器。
【請求項２】
前記複数の入力端子と、
音声信号が入力される複数の入力端子のうち何れか１つを選択する選択手段と、
前記複数の入力端子の夫々について外部接続されているか否かを検出する検出手段と、
をさらに備えることを特徴とする請求項１に記載の電子機器。
【請求項３】
前記選択手段により選択された入力端子の音声信号を増幅する増幅手段を更に備えており、
前記音声制御手段は、前記増幅手段の音声出力値をゼロにする、
ことを特徴とする請求項１または２に記載の電子機器。
【請求項４】
前記音声制御手段は、前記増幅手段の実際の増幅量をゼロにする、
ことを特徴とする請求項３に記載の電子機器。
【請求項５】
前記増幅手段の増幅量を表示する表示手段を更に備え、
前記音声制御手段は、前記選択手段により選択された入力端子が外部接続されていない場合、前記表示手段に表示する増幅量を変化させず、かつ前記増幅手段の実際の増幅量をゼロにする、
ことを特徴とする請求項３に記載の電子機器。
【請求項６】
グランドおよび入力端子のうち何れか１つを選択するスイッチ手段、
を更に備え
前記音声制御手段は、前記選択手段により選択された入力端子が外部接続されていない場合、前記スイッチ手段に対して前記グランドを選択させるように制御する、
ことを特徴とする請求項1乃至５のうちいずれか１項に記載の電子機器。
【請求項７】
前記選択手段によって選択された入力端子を表示する表示手段を更に備え、
前記音声制御手段は、前記選択手段により選択された入力端子が外部接続されていない場合、前記表示手段に表示する入力端子を変化させず、かつ前記スイッチ手段に対して前記グランドを選択させるように制御する、
ことを特徴とする請求項６に記載の電子機器。
【請求項８】
請求項１乃至７のうち何れか１項の電子機器と、
光源装置と、
前記光源装置からの光が照射されて投影光を生成する表示素子と、
前記表示素子で生成された投影光を導光する投影光学系と、
を有することを特徴とするプロジェクタ。
【請求項９】
音声信号が入力される複数の入力端子のうち何れか１つを選択する選択手段と、
前記複数の入力端子の夫々について外部接続されているか否かを検出する検出手段と、
音声制御手段と、を備える電子機器が実行する出力制御方法であって、
前記音声制御手段は、前記選択手段が選択した入力端子を取得し、
前記検出手段により、前記入力端子が外部接続されているか否かを検出し、
前記入力端子が外部接続されていない場合、前記入力端子が外部接続されている場合よりも、音声出力値を下げるように制御する、
ことを特徴とする出力制御方法。
【請求項１０】
音声信号が入力される複数の入力端子のうち何れか１つを選択する選択手段と、
前記複数の入力端子の夫々について外部接続されているか否かを検出する検出手段と、
を備えるコンピュータに、
前記選択手段が選択した入力端子を取得する工程、
前記検出手段により、前記入力端子が外部接続されているか否かを検出する工程、
前記入力端子が外部接続されていない場合、前記入力端子が外部接続されている場合よりも、音声出力値を下げるように制御する工程、
を実行させるためのプログラム。
【発明の詳細な説明】
【技術分野】
【０００１】
本発明は、電子機器、プロジェクタ、出力制御方法及びプログラムに関する。
【背景技術】
【０００２】
プロジェクタやサラウンドシステムなどのように、オーディオ入力端子を有する電子機器がある。例えば、特許文献１に記載の発明は、マイクジャックを有するプロジェクタに関するものである。特許文献１の段落００５０には、「電源制御手段１１は、利用者による操作装置４の操作により、NWSTBモードの「有効」及びMicSTBモードの「有効」が選択された場合に、音声出力状態に設定する。」と記載されている。
【０００３】
以下、図１４を参照しつつ、電子機器のオーディオブロックに係る課題を説明する。この図１４は、プロジェクタ１Ｂのオーディオブロックを示した図である。
プロジェクタ１Ｂのオーディオブロックは、オーディオ入力ブロック２と、ソース切り替えスイッチ４１と、アンプ４２と、オーディオ出力ブロック５を備える。
【０００４】
オーディオ入力ブロック２は、オーディオ入力端子である入力ジャック２１ａ〜２１ｃを有している。入力ジャック２１ａには、ソースＡに係る信号が入力される。同様に入力ジャック２１ｂにはソースＢに係る信号が入力され、入力ジャック２１ｃには、ソースＣに係る信号が入力される。
ここで、入力ジャック２１ｂにプラグが挿入されており、音源２０の信号を伝えている。入力ジャック２１ａ，２１ｃには、プラグが接続されておらず、ハイ・インピーダンス状態である。
【０００５】
これら入力ジャック２１ａ〜２１ｃに入力された信号は、ソース切り替えスイッチ４１に伝達されたのち、選択されたソースに係る信号のみがアンプ４２に出力される。入力ジャック２１ａは、ソース切り替えスイッチ４１の第１入力端子に接続される。入力ジャック２１ｂは、ソース切り替えスイッチ４１の第２入力端子に接続される。入力ジャック２１ｃは、ソース切り替えスイッチ４１の第３入力端子に接続される。
ここで第１入力端子であるソースＡが選択されているため、ソース切り替えスイッチ４１は、入力ジャック２１ａから伝達された信号を選択している。
アンプ４２は、入力された信号を増幅してスピーカ５２や出力ジャック５３に出力する増幅素子である。出力ジャック５３には外部の音声出力機器５３１が接続されている。
【先行技術文献】
【特許文献】
【０００６】
【特許文献１】特開２０１０−１２２４９６号公報
【発明の概要】
【発明が解決しようとする課題】
【０００７】
プロジェクタ１Ｂは、多くの入力信号を受ける必要がある。しかし、筐体の大きさとの兼ね合いもあり、プロジェクタ１Ｂには、オーディオ入力ジャックが密集して配置される。そのため、入力ソースとして選択していない別ソースにも関わらず、別ソースの音声信号が選択されているソースの経路にクロストークとして入り込み、別ソースの音声が微弱ながら出力されるという問題がある。
【０００８】
音声ソースを入力できる入力ジャック２１ａ〜２１ｃを３つ持っているプロジェクタ１Ｂ（図１４参照）を例に説明する。ユーザはソースＡを選択していたが、使うものは映像信号のみで、音声入力端子である入力ジャック２１ａには何も接続しておらず、入力ジャック２１ｂにはプラグが挿しっぱなしであり、別の信号が流れている。この場合、第２入力端子に対応するソースＢの信号が、ソースＡ，Ｃの信号線にクロストークとして乗る。そして、ユーザがソースＡを選択しているにも関わらず、ボリューム設定によってはソースＢの音声が内部スピーカ５２または外部の音声出力機器５３１から流れる。
【０００９】
本発明は係る問題に鑑みてなされたものであり、電子機器において、クロストークに起因するノイズの発生を軽減することを課題とする。
【課題を解決するための手段】
【００１０】
本発明は、上記目的を達成するため、
音声信号が入力される複数の入力端子のうち何れか１つを選択する選択手段による選択結果を取得する選択結果取得手段と、
前記複数の入力端子の夫々について外部接続されているか否かを検出する検出手段による検出結果を取得する検出結果取得手段と、
前記検出結果取得手段により取得された前記検出結果に基づき、前記選択手段が選択した入力端子が外部接続されていない場合、前記入力端子が外部接続されている場合よりも、音声出力値を下げるように制御する音声制御手段と、
を備えることを特徴とする電子機器である。
【発明の効果】
【００１１】
本発明によれば、電子機器において、クロストークに起因するノイズの発生を軽減することが可能となる。
【図面の簡単な説明】
【００１２】
【図１】第１の実施形態におけるプロジェクタを示すブロック図である。
【図２】ピンプラグを示す外観図である。
【図３】ピンジャックの構成を示す概念図である。
【図４】ピンプラグが挿入された場合のピンジャックを示す図である。
【図５】オーディオ制御ブロックによる電源オンの際の処理を示すフローチャートである。
【図６】プロジェクタが投影するソースの変更画面を示す図である。
【図７】ソース変更処理を示すフローチャートである。
【図８】プロジェクタが投影する音量変更画面を示す図である。
【図９】音量変更処理を示すフローチャートである。
【図１０】第２の実施形態におけるプロジェクタを示すブロック図である。
【図１１】オーディオ制御ブロックによる処理を示すフローチャートである。
【図１２】ソース変更処理を示すフローチャートである。
【図１３】音量変更処理を示すフローチャートである。
【図１４】プロジェクタのオーディオブロックを示した図である。
【発明を実施するための形態】
【００１３】
以降、本発明を実施するための形態を、各図を参照して詳細に説明する。
《第１の実施形態》
図１は、第１の実施形態におけるプロジェクタ１を示すブロック図である。
プロジェクタ１は、オーディオ入力ブロック２と、プラグ検出ブロック３と、ソース切り替えスイッチ４１と、アンプ４２と、オーディオ制御ブロック４と、オーディオ出力ブロック５を備える。更にプロジェクタ１は、操作部６１と、映像制御ブロック６２と、映像出力ブロック６３とを備える。映像出力ブロック６３は、光源装置６３１と、表示素子６３２と、投影光学系６３３とを備える。
【００１４】
オーディオ入力ブロック２は、オーディオ入力端子である入力ジャック２１ａ〜２１ｃを有している。入力ジャック２１ａには、ソースＡに係る信号が入力される。同様に入力ジャック２１ｂにはソースＢに係る信号が入力され、入力ジャック２１ｃには、ソースＣに係る信号が入力される。以下、入力ジャック２１ａ〜２１ｃを特に区別しないときには、単に入力ジャック２１と記載する。
なお、本実施形態のプロジェクタ１は、ステレオ方式の音声ソースをサポートしているため、音声信号は２チャンネルであるが、ここでは説明の簡便化のため、左右何れか一方だけの信号の処理ブロックを示している。実際には、ソース切り替えスイッチ４１とアンプ４２とオーディオ出力ブロック５は、２系統の信号を取り扱うことができる。
【００１５】
これら入力ジャック２１ａ〜２１ｃは、それぞれソース切り替えスイッチ４１に接続されて音声信号を中継すると共に、プラグ検出ブロック３にプラグが挿入されたか否かを検出する。ソース切り替えスイッチ４１は、音声信号が入力される入力ジャック２１ａ〜２１ｃのうち何れか１つを選択する選択手段である。
【００１６】
プラグ検出ブロック３は、各入力ジャック２１ａ〜２１ｃそれぞれにプラグが挿されたか否かを検出し、その検出結果をオーディオ制御ブロック４に出力する。プラグ検出ブロック３は、各入力ジャック２１ａ〜２１ｃについて外部接続されているか否かを検出する検出手段である。
オーディオ制御ブロック４は、例えば不図示のＣＰＵ（Central Processing Unit）と記憶部を含んで構成され、プラグ検出ブロック３と、ソース切り替えスイッチ４１と、アンプ４２とを制御するものである。オーディオ制御ブロック４は、ＣＰＵが記憶部に格納された音声制御プログラムを実行することによって、その機能が具現化される。
オーディオ制御ブロック４は、ソース切り替えスイッチ４１が選択した入力ジャック２１が外部接続されていない場合、この入力ジャック２１が外部接続されている場合よりも音声出力値を下げるように制御する音声制御手段である。オーディオ制御ブロック４は、設定されたソースに応じてソース切り替えスイッチ４１を切り替え、設定された音量に応じてアンプ４２の増幅率を制御する。
【００１７】
ソース切り替えスイッチ４１は、３入力１出力タイプのアナログスイッチであり、どのソースの音声を出力するのかを切り替える。ソース切り替えスイッチ４１の第１入力端子は、入力ジャック２１ａに接続される。ソース切り替えスイッチ４１の第２入力端子は、入力ジャック２１ｂに接続される。ソース切り替えスイッチ４１の第３入力端子は、入力ジャック２１ｃに接続される。ソース切り替えスイッチ４１の出力端子は、アンプ４２に接続される。
【００１８】
アンプ４２は、設定された音量に応じて音声信号を増幅する。オーディオ制御ブロック４は更に、プラグ検出ブロック３により各入力ジャック２１ａ〜２１ｃそれぞれにプラグが挿されたか否かを検出する。オーディオ制御ブロック４は、選択されたソースに係る入力ジャック２１にプラグが挿されていないならば、アンプ４２の増幅率をゼロにする。
【００１９】
オーディオ出力ブロック５は、スイッチ５１と、スピーカ５２と、出力ジャック５３を備える。スイッチ５１は、アンプ４２の出力信号をスピーカ５２および出力ジャック５３のうち何れに出力するかを切り替える。
【００２０】
映像制御ブロック６２は、操作部６１に入力された操作情報により、映像出力ブロック６３を制御する。光源装置６３１は、映像を投影するための光を生成する。表示素子６３２は、この光源装置６３１からの光が照射されて投影光を生成する。投影光学系６３３は、この表示素子６３２で生成された投影光を外部に導光する。この投影光は、外部のスクリーン（不図示）に投影される。映像出力ブロック６３は、不図示の映像ソースに係る信号に基づく映像を投影する他、このプロジェクタ１の各種設定を行う設定画面を含んだ映像を投影する。
【００２１】
図２は、ステレオプラグ９を示す外観図である。
ステレオプラグ９は、３極ステレオ端子であり、図の左側に示す円筒形の外装９１と、この外装９１の中心から突出するスリーブ９２、リング９３、チップ９４を備えている。スリーブ９２とリング９３の間と、リング９３とチップ９４の間には、絶縁体が設けられている。スリーブ９２は、音声信号のグランド端子である。リング９３は、音声信号のＲチャンネル端子である。チップ９４は、音声信号のＬチャンネル端子である。
なお、ここでは便宜上、ステレオプラグ９で説明しているが、モノラルプラグなどであってもよく、限定されない。
【００２２】
図３は、入力ジャック２１の構成を示す概念図である。
この入力ジャック２１は、図２のステレオプラグ９が挿入されるように構成されている。ＧＮＤ端子は、ステレオプラグ９のスリーブ９２の位置に設けられる。Ｐ１端子は、ステレオプラグ９のリング９３の位置に設けられる。Ｐ３端子は、ステレオプラグ９のチップ９４の位置に設けられる。
【００２３】
Ｐ２端子は、ステレオプラグ９の挿入を検出するための端子である。ステレオプラグ９が挿入されていないとき、Ｐ２端子はＰ１端子と導通している。
Ｐ４端子は、ステレオプラグ９の挿入を検出するための端子である。ステレオプラグ９が挿入されていないとき、Ｐ４端子はＰ３端子と導通している。
【００２４】
図４は、ステレオプラグ９が挿入された場合のピンジャックを示す図である。
そして、ステレオプラグ９が入力ジャック２１に挿し込まれた状態では、Ｐ１端子を介して、Ｒチャンネル信号（音声信号）が入力される。Ｐ３端子を介してＬチャンネル信号（音声信号）が入力される。ステレオプラグ９が挿入されていないとき、Ｐ２端子は、Ｐ１端子との接触しなくなり、非導通状態となる。同様に、Ｐ４端子は、Ｐ３端子との接触しなくなり、非導通状態となる。
【００２５】
プラグ検出ブロック３は、Ｐ１端子とＰ２端子との導通／非導通を検出するか、またはＰ３端子とＰ４端子との導通／非導通を検出することで、ステレオプラグ９が挿入されているか否かを検出する。
【００２６】
図５は、電源オン時のオーディオブロックの動作を示したフローチャートである。
電源オンにより、オーディオ制御ブロック４は、選択されているソースの情報と、設定されている音量情報を、記憶部（不図示）から読み込む（Ｓ１０）。次にオーディオ制御ブロック４は、選択されているソースと、ソース切り替えスイッチ４１の切り替え状態とが一致しているか否かを判定する（Ｓ１１）。ここでオーディオ制御ブロック４は、ソース切り替えスイッチ４１による入力端子の選択結果を取得する選択結果取得手段として機能する。
【００２７】
オーディオ制御ブロック４は、ソースとスイッチの状態とが不一致の場合、アンプ４２の増幅率を０にしてミュートする（Ｓ１１）。これにより、一切の音が外部に漏れなくなる。なお、ステップＳ１１において、オーディオ制御ブロック４は、メニュー表示のボリュームを変更しない。
【００２８】
次にオーディオ制御ブロック４は、ソース切り替えスイッチ４１を、選択されているソースに切り替え（Ｓ１３）、ステップＳ１４の処理に進む。
ステップＳ１１において、オーディオ制御ブロック４は、選択されているソースと、ソース切り替えスイッチ４１の状態とが一致している場合、ステップＳ１４の処理に進む。
【００２９】
その後、オーディオ制御ブロック４は、プラグ検出ブロック３により、選択されているソースに係る入力ジャック２１に、ステレオプラグ９が挿入されているかを検出する（Ｓ１４）。次にオーディオ制御ブロック４は、ステレオプラグ９の挿入を検出したか否かを判定する（Ｓ１５）。選択されているソースに係る入力ジャック２１のステレオプラグ９の挿入を検出したならば（Ｙｅｓ）、オーディオ制御ブロック４は、アンプ４２の増幅率をメニュー表示のボリュームに合わせて（Ｓ１６）、ステップＳ１４の処理に戻る。ここでオーディオ制御ブロック４は、プラグ検出ブロック３による検出結果を取得する検出結果取得手段として機能する。
【００３０】
ステップＳ１５において、選択されているソースに係る入力ジャック２１のステレオプラグ９の挿入を検出しなかったならば（Ｎｏ）、オーディオ制御ブロック４は、アンプ４２の増幅率を０に設定（ミュート）して（Ｓ１７）、ステップＳ１４の処理に戻る。ステップＳ１７において、オーディオ制御ブロック４は、メニュー表示上のボリュームを変更しない。メニュー上は、予め設定されたボリュームのまま表示されている。ユーザは、ボリュームを任意に変更できるが、アンプ４２の増幅率は０のままミュートしている。ここでオーディオ制御ブロック４は、ソース切り替えスイッチ４１によって選択した入力端子が外部接続されていない場合、この入力端子が外部接続されている場合よりも、音声出力値を下げるように制御する音声制御手段として機能する。
【００３１】
オーディオ制御ブロック４は、ステップＳ１４，Ｓ１５，Ｓ１７の処理を繰り返して、選択されているソースに係る入力ジャック２１に、ステレオプラグ９が挿入されているかを所定周期で確認する。選択されているソースに係る入力ジャック２１にステレオプラグ９が挿入されるまで、アンプ４２の増幅率は０のままである。選択されているソースに係る入力ジャック２１にステレオプラグ９が挿入されたことを検出すると、オーディオ制御ブロック４は、アンプ４２の増幅率を、メニュー表示のボリュームに合わせて変更する。これによりスピーカ５２または出力ジャック５３は、音声を出力する。
【００３２】
図６は、プロジェクタ１が投影する音声ソース変更画面７を示す図である。
音声ソース変更画面７は、ユーザが所定操作を行うことで、プロジェクタ１の投影画面の中央に表示される。音声ソース変更画面７は更に、ユーザが「ＥＳＣ」キーを押下することで閉じる。この音声ソース変更画面７は、選択手段によって選択された入力端子を表示する表示手段として機能する。
【００３３】
この音声ソース変更画面７の上側には、音声ソース変更領域７１が配置され、その上側にガイダンス領域７６が配置されている。音声ソース変更領域７１は、音声ソースを変更するための操作領域である。ガイダンス領域７６は、音声ソース変更領域７１を操作するためのガイダンスを表示する領域である。
【００３４】
音声ソース変更領域７１は、操作部６１の操作により、音声ソースを切り替えるための領域である。音声ソース変更領域７１の左上にはアイコン７２が表示され、アイコン７２の右側には、タイトル７３の「音声ソースの変更」が表示される。
【００３５】
タイトル７３の直下には、ソースＡに係る情報が表示されている。音声ソースとして選択されていることを示すラジオボタン７４ａと、ソースＡに係る入力端子名７５ａの「ミニジャックＡ」が表示される。ここでラジオボタン７４ａは選択中を示しており、よってソースＡが選択されていることを示している。
【００３６】
ソースＡに係る情報の下側には、ソースＢに係る情報が表示されている。ソースＢが音声ソースとして選択されていることを示すラジオボタン７４ｂと、ソースＢに係る入力端子名７５ｂの「ミニジャックＢ」が表示される。ここでラジオボタン７４ｂと入力端子名７５ｂは、灰色表示されており、カーソルが位置していることを示している。この状態で、「ＥＮＴＥＲ」キーを押下すると、ソースＢが選択される。
【００３７】
ソースＢに係る情報の下側には、ソースＣに係る情報が表示されている。ソースＣが音声ソースとして選択されていることを示すラジオボタン７４ｃと、ソースＣに係る入力端子名７５ｃの「ミニジャックＣ」が表示される。
【００３８】
上三角キーの押下によって、カーソル位置は上方向に移動する。下三角キーの押下によって、カーソル位置は上方向に移動する。ユーザがカーソルによって所望のソースを灰色表示させたのち、「ＥＮＴＥＲ」キーを押下すると、所望のソースを選択できる。
【００３９】
図７は、ソース変更処理を示すフローチャートである。
ユーザによる選択ソースの変更が割り込み信号として発生した場合のオーディオブロックのフローチャートである。上記した図５のフローチャートと同様に、オーディオ制御ブロック４は、アンプ４２の増幅率を０にしてミュートする（Ｓ２１）。これにより、一切の音が外部に漏れなくなる。なお、ステップＳ２１において、オーディオ制御ブロック４は、メニュー表示のボリュームを変更しない。
次にオーディオ制御ブロック４は、ソース切り替えスイッチ４１を、変更されたソースに切り替える（Ｓ２２）。
その後、オーディオ制御ブロック４は、プラグ検出ブロック３により、選択されているソースに係る入力ジャック２１に、ステレオプラグ９が挿入されているかを検出する（Ｓ２３）。次にオーディオ制御ブロック４は、ステレオプラグ９の挿入を検出したか否かを判定する（Ｓ２４）。選択されているソースに係る入力ジャック２１のステレオプラグ９の挿入を検出したならば（Ｙｅｓ）、オーディオ制御ブロック４は、アンプ４２の増幅率をメニュー表示のボリュームに合わせ（Ｓ２５）、ステップＳ２３の処理に戻る。
【００４０】
ステップＳ２４において、選択されているソースに係る入力ジャック２１のステレオプラグ９の挿入を検出しなかったならば（Ｎｏ）、オーディオ制御ブロック４は、アンプ４２の増幅率を０に設定（ミュート）して（Ｓ２６）、ステップＳ２３の処理に戻る。ステップＳ２６において、オーディオ制御ブロック４は、メニュー表示上のボリュームを変更しない。メニュー上は、予め設定されたボリュームのまま表示されている。ユーザは、ボリュームを任意に変更できるが、アンプ４２の増幅率は０のままミュートしている。
【００４１】
オーディオ制御ブロック４は、ステップＳ２３，Ｓ２４，Ｓ２６の処理を繰り返して、選択されているソースに係る入力ジャック２１に、ステレオプラグ９が挿入されているかを所定周期で確認する。選択されているソースに係る入力ジャック２１にステレオプラグ９が挿入されるまで、アンプ４２の増幅率は０のままである。選択されているソースに係る入力ジャック２１にステレオプラグ９が挿入されたことを検出すると、オーディオ制御ブロック４は、アンプ４２の増幅率を、メニュー表示のボリュームに合わせて変更する。これによりスピーカ５２または出力ジャック５３は、音声を出力する。
【００４２】
本実施形態では直接関係はないが、前記した図７と後記する図９のフローチャートにおいて、ソース切り替え時に毎回ボリュームを０にしているのは、スイッチ切り替え時のポップ音対策のためである。
【００４３】
図８は、プロジェクタが投影する音量画面８を示す図である。
音量画面８は、ユーザが所定操作を行うことで、プロジェクタ１の投影画面の中央に表示される。音量画面８は更に、ユーザが「ＥＳＣ」キーを押下することで閉じる。音量画面８は、増幅手段の増幅量を表示する表示手段として機能する。
【００４４】
この音量画面８の上側には、音量領域８１が配置され、その上側にガイダンス領域８５が配置されている。音量領域８１は、音量を変更するための操作領域である。ガイダンス領域８５は、音量領域８１を操作するためのガイダンスを表示する領域である。
【００４５】
音量領域８１は、操作部６１の操作により、音量を変更するための領域である。音量領域８１の左上にはアイコン８２が表示され、アイコン８２の右側には、タイトル８３の「音量の変更」が表示される。
【００４６】
タイトル７３の右側には、現在の音量を示す音量バー８４が表示されている。音量バー８４の左側には、音量を数値で示した「１５」と、音量を下げるときの操作キーを示す「−」とが表示されている。音量バー８４の右側には、音量を上げるときの操作キーを示す「＋」が表示されている。
【００４７】
左三角キーの押下によって、音量バー８４はマイナス方向に減少する。右三角キーの押下によって、音量バー８４はプラス方向に増加する。ユーザは、左三角キーと右三角キーの押下によって所望の音量を選択できる。
【００４８】
図９は、音量変更処理を示すフローチャートである。
この音量変更処理は、ユーザによるボリューム設定の変更が割り込み信号として発生した場合のオーディオブロックの処理である。上記した図５のフローチャートと同様に、オーディオ制御ブロック４は、プラグ検出ブロック３により、選択されているソースに係る入力ジャック２１に、ステレオプラグ９が挿入されているかを検出する（Ｓ３１）。次にオーディオ制御ブロック４は、ステレオプラグ９の挿入を検出したか否かを判定する（Ｓ３２）。選択されているソースに係る入力ジャック２１のステレオプラグ９の挿入を検出したならば（Ｙｅｓ）、オーディオ制御ブロック４は、アンプ４２の増幅率をメニュー表示のボリュームに合わせ（Ｓ３３）、ステップＳ３１の処理に戻る。
【００４９】
ステップＳ３２において、選択されているソースに係る入力ジャック２１のステレオプラグ９の挿入を検出しなかったならば（Ｎｏ）、オーディオ制御ブロック４は、アンプ４２の増幅率を０に設定（ミュート）して（Ｓ３４）、ステップＳ３１の処理に戻る。ステップＳ３４において、オーディオ制御ブロック４は、メニュー表示上のボリュームを変更しない。メニュー上は、予め設定されたボリュームのまま表示されている。ユーザは、ボリュームを任意に変更できるが、アンプ４２の増幅率は０のままミュートしている。
【００５０】
オーディオ制御ブロック４は、ステップＳ３１，Ｓ３２，Ｓ３４の処理を繰り返して、選択されているソースに係る入力ジャック２１に、ステレオプラグ９が挿入されているかを所定周期で確認する。選択されているソースに係る入力ジャック２１にステレオプラグ９が挿入されるまで、アンプ４２の増幅率は０のままである。選択されているソースに係る入力ジャック２１にステレオプラグ９が挿入されたことを検出すると、オーディオ制御ブロック４は、アンプ４２の増幅率を、メニュー表示のボリュームに合わせて変更する。これによりスピーカ５２が音声を出力する。また出力ジャック５３は、音声信号を外部に中継する。
【００５１】
《第１の実施形態の効果》
入力ジャック２１ａに何も挿されておらず、入力ジャック２１ｂにはプラグが挿されて信号が入力されている場合、プロジェクタ１がソースＡを選択しているにも関わらず、入力ミニジャックＢの信号がクロストークとなり、スピーカ５２や出力ジャック５３に接続した外部アンプから音が聞こえてしまう可能性がある。
【００５２】
入力ジャック２１へのプラグ挿入を検出するデバイスまたは回路を配置することで、オーディオ部が密集しがちでクロストークが発生しやすいプロジェクタにおいて、入力ジャックにプラグを挿していないのに、選択していない他のソースの音が鳴るという問題を防ぐことができる。
【００５３】
《第２の実施形態》
図１０は、第２の実施形態におけるプロジェクタ１Ａを示すブロック図である。
第２の実施形態のソース切り替えスイッチ４１Ａは、第１の実施形態とは異なり、４入力１出力タイプのアナログスイッチである。
【００５４】
ソース切り替えスイッチ４１Ａの第１入力端子は、入力ジャック２１ａに接続される。ソース切り替えスイッチ４１Ａの第２入力端子は、入力ジャック２１ｂに接続される。ソース切り替えスイッチ４１Ａの第３入力端子は、入力ジャック２１ｃに接続される。ソース切り替えスイッチ４１Ａの第４入力端子は、グランドに接続される。ソース切り替えスイッチ４１Ａの第４入力端子を選択することにより、スピーカ５２の出力音声をミュートすることができる。ここでソース切り替えスイッチ４１Ａは、グランドおよび入力端子のうち何れか１つを選択するスイッチ手段として機能する。
【００５５】
図１１は、オーディオ制御ブロック４による処理を示すフローチャートである。
電源オンにより、オーディオ制御ブロック４は、選択されているソースの情報と、設定されている音量情報を読み込む（Ｓ４０）。次にオーディオ制御ブロック４は、選択されているソースと、ソース切り替えスイッチ４１Ａの切り替え状態とが一致しているか否かを判定する（Ｓ４１）。
オーディオ制御ブロック４は、ソースとスイッチの状態とが不一致の場合、ソース切り替えスイッチ４１Ａを第４入力端子に切り替える（Ｓ４２）。これにより、一切の音が外部に漏れなくなる。なお、ステップＳ４２において、オーディオ制御ブロック４は、メニュー表示のソースを変更しない。
【００５６】
その後、オーディオ制御ブロック４は、プラグ検出ブロック３により、選択されているソースに係る入力ジャック２１に、ステレオプラグ９が挿入されているかを検出する（Ｓ４３）。次にオーディオ制御ブロック４は、ステレオプラグ９の挿入を検出したか否かを判定する（Ｓ４４）。選択されているソースに係る入力ジャック２１のステレオプラグ９の挿入を検出したならば（Ｙｅｓ）、オーディオ制御ブロック４は、ソース切り替えスイッチ４１Ａをメニュー表示のソースに合わせ（Ｓ４５）、ステップＳ４３の処理に戻る。
【００５７】
ステップＳ４４において、選択されているソースに係る入力ジャック２１のステレオプラグ９の挿入を検出しなかったならば（Ｎｏ）、オーディオ制御ブロック４は、ソース切り替えスイッチ４１Ａを第４入力端子に切り替えてミュートし（Ｓ４６）、ステップＳ４３の処理に戻る。ステップＳ４６において、オーディオ制御ブロック４は、メニュー表示上のソースを変更しない。メニュー上は、ユーザが選択したソースのまま表示されている。ユーザは、ソースを任意に変更できる。
【００５８】
オーディオ制御ブロック４は、ステップＳ４３，Ｓ４４，Ｓ４６の処理を繰り返して、選択されているソースに係る入力ジャック２１に、ステレオプラグ９が挿入されているかを所定周期で確認する。選択されているソースに係る入力ジャック２１にステレオプラグ９が挿入されるまで、ソース切り替えスイッチ４１Ａを第４入力端子に切り替えたままである。選択されているソースに係る入力ジャック２１にステレオプラグ９が挿入されたことを検出すると、オーディオ制御ブロック４は、ソース切り替えスイッチ４１Ａを、メニュー表示のソースに合わせて変更する。これによりスピーカ５２または出力ジャック５３は、音声を出力する。
【００５９】
図１２は、ソース変更処理を示すフローチャートである。
ソース変更処理は、ユーザによる選択ソースの変更が割り込み信号として発生した場合のオーディオブロックの処理である。上記した図１１のフローチャートと同様に、オーディオ制御ブロック４は、ソース切り替えスイッチ４１Ａを第４入力端子に切り替えてミュートする（Ｓ５１）。これにより、一切の音が外部に漏れなくなる。なお、ステップＳ５１において、オーディオ制御ブロック４は、メニュー表示のソースを変更しない。
その後、オーディオ制御ブロック４は、プラグ検出ブロック３により、選択されているソースに係る入力ジャック２１に、ステレオプラグ９が挿入されているかを検出する（Ｓ５２）。次にオーディオ制御ブロック４は、ステレオプラグ９の挿入を検出したか否かを判定する（Ｓ５３）。選択されているソースに係る入力ジャック２１のステレオプラグ９の挿入を検出したならば（Ｙｅｓ）、オーディオ制御ブロック４は、ソース切り替えスイッチ４１Ａをメニュー表示のソースに合わせ（Ｓ５４）、ステップＳ５２の処理に戻る。
【００６０】
ステップＳ５３において、選択されているソースに係る入力ジャック２１のステレオプラグ９の挿入を検出しなかったならば（Ｎｏ）、オーディオ制御ブロック４は、ソース切り替えスイッチ４１Ａを第４入力端子に切り替えてミュートし（Ｓ５５）、ステップＳ５２の処理に戻る。ステップＳ５５において、オーディオ制御ブロック４は、メニュー表示上のソースを変更しない。メニュー上は、ユーザが選択したソースのまま表示されている。ユーザは、ソースを任意に変更できる。
【００６１】
オーディオ制御ブロック４は、ステップＳ５２，Ｓ５３，Ｓ５５の処理を繰り返して、選択されているソースに係る入力ジャック２１に、ステレオプラグ９が挿入されているかを所定周期で確認する。選択されているソースに係る入力ジャック２１にステレオプラグ９が挿入されるまで、ソース切り替えスイッチ４１Ａは、第４入力端子に切り替えたままである。選択されているソースに係る入力ジャック２１にステレオプラグ９が挿入されたことを検出すると、オーディオ制御ブロック４は、ソース切り替えスイッチ４１Ａを、メニュー表示のソースに合わせて変更する。これによりスピーカ５２は音声を出力する。また出力ジャック５３は、音声信号を外部に中継する。
【００６２】
図１３は、音量変更処理を示すフローチャートである。
ユーザによるボリューム設定の変更が割り込み信号として発生した場合のオーディオブロックのフローチャートである。上記した図５のフローチャートと同様に、オーディオ制御ブロック４は、プラグ検出ブロック３により、選択されているソースに係る入力ジャック２１に、ステレオプラグ９が挿入されているかを検出する（Ｓ６１）。次にオーディオ制御ブロック４は、ステレオプラグ９の挿入を検出したか否かを判定する（Ｓ６２）。選択されているソースに係る入力ジャック２１のステレオプラグ９の挿入を検出したならば（Ｙｅｓ）、オーディオ制御ブロック４は、ソース切り替えスイッチ４１Ａをメニュー表示上のソースに切り替えて（Ｓ６３）、ステップＳ６１の処理に戻る。
【００６３】
ステップＳ６２において、選択されているソースに係る入力ジャック２１のステレオプラグ９の挿入を検出しなかったならば（Ｎｏ）、オーディオ制御ブロック４は、ソース切り替えスイッチ４１Ａを第４入力端子に切り替えてミュートし（Ｓ６４）、ステップＳ６１の処理に戻る。ステップＳ６４において、オーディオ制御ブロック４は、メニュー表示上のソースを変更しない。メニュー上は、ユーザが選択したソースのまま表示されている。ユーザは、ソースを任意に変更できる。
【００６４】
オーディオ制御ブロック４は、ステップＳ６１，Ｓ６２，Ｓ６４の処理を繰り返して、選択されているソースに係る入力ジャック２１に、ステレオプラグ９が挿入されているかを所定周期で確認する。選択されているソースに係る入力ジャック２１にステレオプラグ９が挿入されるまで、ソース切り替えスイッチ４１Ａを第４入力端子に切り替えたままである。選択されているソースに係る入力ジャック２１にステレオプラグ９が挿入されたことを検出すると、オーディオ制御ブロック４は、ソース切り替えスイッチ４１Ａをメニュー表示上のソースに合わせて変更する。これによりスピーカ５２または出力ジャック５３は、音声を出力する。
【００６５】
《第２の実施形態の効果》
入力ジャック２１へのプラグ挿入を検出するデバイスまたは回路を配置することで、オーディオ部が密集しがちでクロストークが発生しやすいプロジェクタにおいて、入力ジャックにプラグを挿していないのに、選択していない他のソースの音が鳴るという問題を防ぐことができる。
【００６６】
（変形例）
本発明は、上記実施形態に限定されることなく、本発明の趣旨を逸脱しない範囲で、変更実施が可能であり、例えば、次の（ａ）〜（ｄ）のようなものがある。
【００６７】
（ａ）  第１実施形態において、アンプ４２の増幅率はゼロに限られず、ユーザが聴覚上認識できないほど小さな増幅率であってもよい。
（ｂ）  第２実施形態において、グランドに接続される入力端子は第４入力端子に限定されない。例えば第１入力端子をグランドに接続し、ソースＡ〜Ｃを第２〜第４入力端子に接続してもよい。
（ｃ）  複数の入力ジャックすべてがプラグ挿入を検出できるものでなくてもよい。例えば、入力ジャック２１ｃへのプラグ挿入を検出できない型であり、かつ入力ジャック２１ｃに係るソースＣが選択されたならば、ミュートしなくてもよい。
（ｄ）  本発明は、プロジェクタに限定されず、複数のオーディオ入力端子を切り替えて出力する電子機器であればよい。
【００６８】
以下に、この出願の願書に最初に添付した特許請求の範囲に記載した発明を付記する。付記に記載した請求項の項番は、この出願の願書に最初に添付した特許請求の範囲の通りである。
【００６９】
〔付記〕
《請求項１》
音声信号が入力される複数の入力端子のうち何れか１つを選択する選択手段による選択結果を取得する選択結果取得手段と、
前記複数の入力端子の夫々について外部接続されているか否かを検出する検出手段による検出結果を取得する検出結果取得手段と、
前記検出結果取得手段により取得された前記検出結果に基づき、前記選択手段が選択した入力端子が外部接続されていない場合、前記入力端子が外部接続されている場合よりも、音声出力値を下げるように制御する音声制御手段と、
を備えることを特徴とする電子機器。
《請求項２》
前記複数の入力端子と、
音声信号が入力される複数の入力端子のうち何れか１つを選択する選択手段と、
前記複数の入力端子の夫々について外部接続されているか否かを検出する検出手段と、
をさらに備えることを特徴とする請求項１に記載の電子機器。
《請求項３》
前記選択手段により選択された入力端子の音声信号を増幅する増幅手段を更に備えており、
前記音声制御手段は、前記増幅手段の音声出力値をゼロにする、
ことを特徴とする請求項１または２に記載の電子機器。
《請求項４》
前記音声制御手段は、前記増幅手段の実際の増幅量をゼロにする、
ことを特徴とする請求項３に記載の電子機器。
《請求項５》
前記増幅手段の増幅量を表示する表示手段を更に備え、
前記音声制御手段は、前記選択手段により選択された入力端子が外部接続されていない場合、前記表示手段に表示する増幅量を変化させず、かつ前記増幅手段の実際の増幅量をゼロにする、
ことを特徴とする請求項３に記載の電子機器。
《請求項６》
グランドおよび入力端子のうち何れか１つを選択するスイッチ手段、
を更に備え
前記音声制御手段は、前記選択手段により選択された入力端子が外部接続されていない場合、前記スイッチ手段に対して前記グランドを選択させるように制御する、
ことを特徴とする請求項1乃至５のうちいずれか１項に記載の電子機器。
《請求項７》
前記選択手段によって選択された入力端子を表示する表示手段を更に備え、
前記音声制御手段は、前記選択手段により選択された入力端子が外部接続されていない場合、前記表示手段に表示する入力端子を変化させず、かつ前記スイッチ手段に対して前記グランドを選択させるように制御する、
ことを特徴とする請求項６に記載の電子機器。
《請求項８》
請求項１乃至７のうち何れか１項の電子機器と、
光源装置と、
前記光源装置からの光が照射されて投影光を生成する表示素子と、
前記表示素子で生成された投影光を導光する投影光学系と、
を有することを特徴とするプロジェクタ。
《請求項９》
音声信号が入力される複数の入力端子のうち何れか１つを選択する選択手段と、
前記複数の入力端子の夫々について外部接続されているか否かを検出する検出手段と、
音声制御手段と、を備える電子機器が実行する出力制御方法であって、
前記音声制御手段は、前記選択手段が選択した入力端子を取得し、
前記検出手段により、前記入力端子が外部接続されているか否かを検出し、
前記入力端子が外部接続されていない場合、前記入力端子が外部接続されている場合よりも、音声出力値を下げるように制御する、
ことを特徴とする出力制御方法。
《請求項１０》
音声信号が入力される複数の入力端子のうち何れか１つを選択する選択手段と、
前記複数の入力端子の夫々について外部接続されているか否かを検出する検出手段と、
を備えるコンピュータに、
前記選択手段が選択した入力端子を取得する工程、
前記検出手段により、前記入力端子が外部接続されているか否かを検出する工程、
前記入力端子が外部接続されていない場合、前記入力端子が外部接続されている場合よりも、音声出力値を下げるように制御する工程、
を実行させるためのプログラム。
【符号の説明】
【００７０】
１，１Ａ，１Ｂ  プロジェクタ
２  オーディオ入力ブロック
２０  音源
２１  入力ジャック
２１ａ〜２１ｃ  入力ジャック  （入力端子）
３  プラグ検出ブロック  （検出手段）
４  オーディオ制御ブロック  へ（音声制御手段、選択結果取得手段、検出結果取得手段）
４１，４１Ａ  ソース切り替えスイッチ  （選択手段）
４２  アンプ
５  オーディオ出力ブロック
５１  スイッチ
５２  スピーカ
５３  出力ジャック
５３１  音声出力機器
６１  操作部
６２  映像制御ブロック
６３  映像出力ブロック
６３１  光源装置
６３２  表示素子
６３３  投影光学系
７  音声ソース変更画面  （表示手段）
７１  音声ソース変更領域
７２  アイコン
７３  タイトル
７４ａ〜７４ｃ  ラジオボタン
７５ａ〜７５ｃ  入力端子名
７６  ガイダンス領域
８  音量画面  （表示手段）
８１  音量領域
８２  アイコン
８３  タイトル
８４  音量バー
８５  ガイダンス領域
９  ステレオプラグ
９１  外装
９２  スリーブ
９３  リング
９４  チップ
【図１】
2019220897.tif 000003
【図２】
2019220897.tif 000004
【図３】
2019220897.tif 000005
【図４】
2019220897.tif 000006
【図５】
2019220897.tif 000007
【図６】
2019220897.tif 000008
【図７】
2019220897.tif 000009
【図８】
2019220897.tif 000010
【図９】
2019220897.tif 000011
【図１０】
2019220897.tif 000012
【図１１】
2019220897.tif 000013
【図１２】
2019220897.tif 000014
【図１３】
2019220897.tif 000015
【図１４】
2019220897.tif 000016